(57)【特許請求の範囲】
【請求項１】
容器端部に取り付ける接合部を有するスパウトの注出筒先端に、破断可能な薄肉部を介して閉止部を連結してなるワンピーススパウトにおいて、
前記閉止部は、筒体と、該筒体の上端を閉じるように形成される天板と、該天板の上面に形成されるつまみ部とからなり、前記薄肉部は前記筒体の下端部外面と前記注出筒の上端部内面と一体に連結しており、
前記閉止部の前記天板下面には、前記注出筒の上端に対応する位置において、前記注出筒の上端面に近接するような凸部、又は前記注出筒の上端には、前記閉止部の前記天板下面に近接するような凸部が設けられており、前記スパウトから切り離した後、前記閉止部を前記注出筒に被せると、前記凸部が前記注出筒の上端面、又は前記閉止部の前記天板下面に当接して、前記筒体の前記注出筒内への進入を防止することを特徴とするワンピーススパウト。
【発明の詳細な説明】
【技術分野】
【０００１】
本発明は、容器に取り付けるスパウトの注出筒先端に、破断可能な薄肉部を介して閉止
部を連結してなるワンピーススパウトに関するもので、より詳しくは、スパウトの注出筒をいったん開封した後は、リシール機能を必要としないワンピーススパウトに関する。
【背景技術】
【０００２】
ワンピーススパウトは、小さな袋であるパウチ等に密封状態で取り付けるもので、パウ
チ等の他の開口部を通して、パウチ等内に液状物を充填すると共に、ワンピーススパウト
の閉止部を切り離してパウチ等内の液状物を注ぎ出すために用いられている。このワンピーススパウトとして下記に示すような技術が知られている。
【特許文献１】特開２０００−７０３３号公報
【特許文献２】特開２００４−８３０９０号公報
【０００３】
特許文献１のワンピーススパウトは、図９に示すように、容器５０の液状物を注ぎ出すものであり、この容器５０の一方の縁部に取り付ける取付部５１と、この取付部５１から延設された筒状の注ぎ口部５２とからなり、さらに、この注ぎ口部５２は大径部５３と小径部５４とからなって、この小径部５４には破断可能な薄肉部５５が形成され、この薄肉部５５よりも先につまみ部５６が設けられて、このつまみ部５６により、薄肉部５５を切り裂き注ぎ口部５２を開封して、破断した小径部５４から容器５０の液状物を注ぎ出せるようになっている。なお、この容器５０の他方の縁部には液状物を注ぎ入れる充填具５７が設けられている。
【０００４】
また、特許文献２のワンピーススパウトは、図１０に示すように、キャップ６０の下端外周面とスパウト６１の上端内周面とを、破断可能な薄肉部６２を介して連結したものであり、このキャップ６０の周壁部６３上端に回転用突起６４を設け、その下に順次インナー封止リング６５、雄ネジ６６を設けて、一方、スパウト６１の注出筒６７の内周面に雌ネジ６８を設け、キャップ６０の回転用突起６４にて薄肉部６２を破断して開封し、容器の液状内容物を注ぎ出し、その後にスパウト６１の注出筒６７にキャップ６０を螺着して密封出来るようにされている。
【発明の開示】
【発明が解決しようとする課題】
【０００５】
特許文献１のワンピーススパウトは、その開封の前後に関わりなく、充填具５７により
容器５０内に液状物を充填したり、既に充填されている液状物に他の液状物あるいは溶解
する固形物を添加したり出来るものであり、使用時につまみ部５６を一度開封したら再封機能は持たず、液状物を完全に使い切る形態のものである。
【０００６】
特許文献２のワンピーススパウトは、キャップ６０を開封した後、スパウト６１の注出
筒６７にキャップ６０を必要に応じて螺着脱して、容器内の液状物を自在に利用出来るも
のである。したがって、通常のキャップ付の容器と同じ機能を備えているために、その分コスト高となってしまう。
【０００７】
たとえば、詰替用液状物を充填した容器にこのワンピーススパウトを用いる場合、開封した後、他の容器にその液状物全量を詰め替えるのが最も好ましく、当然リシール機能を必要としない特許文献１のようなワンピーススパウトのほうが製造コストは安価であり、よって、液状物詰替専用の容器に取り付けているワンピーススパウトは、図１１、１２に示すように、コスト高となるリシール機能が要求されないものであり、容器の端部に取り付ける接合部７０を有するスパウト７１の注出筒７２先端に、破断可能な薄肉部７３を介して閉止部７４を連結してなっている。この閉止部７４のつまみ部７５により薄肉部７３を破断すると、注出筒７２先端側に残った薄肉部７３により注出筒７２先端開口が狭まり、この狭まった注出筒７２先端開口に閉止部７４の筒体７６の下端部を嵌合すると、あたかも閉止部７４によりスパウト７１の注出筒７２を封止した状態になっているものと錯覚してしまうことがある。ところが、この状態では封止力が弱いにもかかわらず、封止しているものと思いこんでしまうことがあるが、このような場合、閉止部７４が注出筒７２から簡単に外れてしまい、容器内の残留した液状物がこぼれ周囲を汚すばかりでなく、こぼれた液状物が無駄になってしまうことになる。
【０００８】
そこで、本発明の目的は、リシール機能を無くして構造を簡易にしコストを下げ、且つ
リシール機能が無いのに、有ると勘違いを起こすことを防止したワンピーススパウトを提供することにある。
【課題を解決するための手段】
【０００９】
本発明は、上記目的を達成するために提案されたものであって、下記の構成からなることを特徴とするものである。
すなわち、本発明によれば、容器端部に取り付ける接合部を有するスパウトの注出筒先端に、破断可能な薄肉部を介して閉止部を連結してなるワンピーススパウトにおいて、
前記閉止部は、筒体と、該筒体の上端を閉じるように形成される天板と、該天板の上面に形成されるつまみ部とからなり、前記薄肉部は前記筒体の下端部外面と前記注出筒の上端部内面と一体に連結しており、前記閉止部の前記天板下面には、前記注出筒の上端に対応する位置において、前記注出筒の上端面に近接するような凸部、又は前記注出筒の上端には、前記閉止部の前記天板下面に近接するような凸部が設けられており、前記スパウトから切り離した後、前記閉止部を前記注出筒に被せると、前記凸部が前記注出筒の上端面、又は前記閉止部の前記天板下面に当接して、前記筒体の前記注出筒内への進入を防止することを特徴とするワンピーススパウトが提供される。
【発明の効果】
【００１０】
本発明のワンピーススパウトは、閉止部のつまみ部を手指にてつかみ、周方向に回して薄肉部を破断して閉止部を開封して、容器内の液状物をスパウトの注出筒から他の容器に移し替えた後、注出筒に閉止部を被せると、凸部が注出筒の上端面あるいは閉止部の下面に当接して、閉止部の筒体が注出筒内へ進入することができない状態にされている。したがって、リシール機能が無く構造が簡易であるからコストを下げることが出来、その上、リシール状態にあるものと勘違することも無く、液状物をこぼして周囲を汚したり、液状物を無駄にすることがない効果がある。
【発明を実施するための最良の形態】
【００１１】
以下に、図面を参照して本発明を実施するための最良の形態を説明する。
【実施例１】
【００１２】
図１は本発明の実施例１を示すワンピーススパウト半裁縦断面図、図２は図１のII-II線に沿う断面図、図３は図１のワンピーススパウトの閉止部を分離した後、注出筒先端に閉止部を被せようとした状態の半裁縦断面図、図４は図３のＡ部の拡大断面図である。これらの図面において、ワンピーススパウト１は、容器２端部に取り付ける接合部３を有するスパウト４の注出筒５の先端に、破断可能な薄肉部６を介して閉止部７を連結してなるものであり、この閉止部７は、筒体１０と、この筒体１０の上端を閉じるように形成される天板１１と、この天板１１の上面に形成されるつまみ部１２とからなり、薄肉部６は筒体１０の下端部外面と注出筒５の上端部内面と一体に連結しており、閉止部７の注出筒５の上端に対応する位置αには、注出筒５の上端面βに近接するように凸部１３が設けられており、スパウト４から閉止部７を切り離した後、閉止部７を注出筒５に被せると、凸部１３が注出筒５の上端面βに当接して、筒体１０が注出筒５内に進入するのを防止するものである。
【００１３】
前記容器２の形態には特に限定はないが、この実施例１ではパウチ（以下、パウチ２という）であり、このパウチ２は、詰替用の液状物を収容するために、ガス並びに液に対してバリアー性があり、さらに、詰替用の液状物の具体的な内容によっては、加熱滅菌に耐えうる耐熱性を備えた材料にて構成されている。
【００１４】
前記スパウト４は、既述のとおり、パウチ２の端部に取り付けるための接合部３と、こ
の接合部３に直立している注出筒５とからなり、この接合部３にパウチ２の端部を溶着し
ている。一方、注出筒５は、円筒体であり、その上端面が液状物の注ぎ口となっている。
【００１５】
前記閉止部７は、浅い筒体１０と、この筒体１０の上端を閉じるドーム状に形成されて
いる天板１１と、この天板１１の上面に形成される板状のつまみ部１２と、からなってい
て、前記薄肉部６を介して前記スパウト４の注出筒５に連結することで、スパウト４を密
封している。すなわち、この薄肉部６は、スパウト４の注出筒５における上端部内面と、
閉止部７の筒体１０における下端部外面とを、一体に連結して密封状態にしている。なお、この薄肉部６の強度は、外部からの若干の衝撃に対しては破断せず、一方、つまみ部１２を手指にてつかみ、周方向に回せば、例えば、比較的力の弱い女性や老人でも薄肉部６を破断出来、閉止部７を取り外してパウチ２内の液状物を利用できる程度の強度が望まれる。
【００１６】
そして、前記凸部１３は、前記スパウト４の注出筒５の上端に対応する閉止部７におけ
る位置α上に設けられ、この実施例１では、天板１１の下面周縁部に２本の角棒状の凸部１３が向かい合っている状態である。この形状は、前記スパウト４の成型時の型抜き構造を考慮したものである。また、閉止部７の天板１１の外径が注出筒５の内径より小さい場合には、上記した位置αはつまみ部１２上となり、このつまみ部１２に凸部１３が設けられることになる。
【００１７】
また、凸部１３の高さは、スパウト４から閉止部７を切り離す前の状態で注出筒５の上端面βに近接している状態の高さである。これは、薄肉部６の破断後に再び閉止部７を被せようとしても筒体１０が注出筒５内に進入することができないようにするためである。また、この構成により、外力に対して凸部１３が注出筒５の上端面βに当たることで、ストッパーの役割を担い、上記した外部からの若干の衝撃に対して、薄肉部６を破断から防護することができるのである。
【００１８】
次に、上記構成になるワンピーススパウト１の使用方法を述べる。
まず、パウチ２の端部にスパウト４の接合部３を溶着などの手段により、貼り付け密封
する。その後、パウチ２の開口部（不図示）から液状物を充填し、その開口部を閉じる。
次に、液状物が加熱滅菌するものであれば、レトルト（加圧滅菌用釜）に入れて滅菌操作
を実行する。
【００１９】
ユーザーは、包装を解き液状物入りのワンピーススパウト付のパウチ２を取り出し、つまみ部１２を手指にてつかみ周方向に回せば、比較的力の弱い女性や老人でも薄肉部６を破断出来、閉止部７を取り外して、パウチ２内の液状物をスパウト４の注出筒５から他の容器に注ぎ出し、移し替えることが出来る。この際、パウチ２内の液状物を余らし、スパウト４の注出筒５に取り外した閉止部７を嵌めようとしても、閉止部７の凸部１３が注出筒５の上端面βに当接して、閉止部７の筒体１０が注出筒５内に進入することが出来ず、ユーザーがスパウト４に蓋が出来たと勘違いすることがない。
【００２０】
したがって、ユーザーは、パウチ２内の液状物を全て他の容器に移し替えるようになっ
て、液状物をこぼして周囲を汚したり、液状物を無駄にすることがなくなる。なお、液状
物入りのワンピーススパウト付のパウチ２を落としたりなどの衝撃を与えても、閉止部７
の凸部１３が有効に働いて、注出筒５の先端と閉止部７とを連結している薄肉部６に対す
る衝撃を緩和して、薄肉部６の破断という最悪の事態を回避できる。
【実施例２】
【００２１】
図５ないし８は実施例２を示し、この実施例２のワンピーススパウト１Ａと図１ないし４の実施例１のワンピーススパウト１との相違点は、凸部の位置が逆である点であり、詳述すれば、凸部１３Ａが注出筒５の上端βに、閉止部７の下面、すなわち、注出筒５の上端βに対応する閉止部７における位置αに近接するように、設けられている点である。その他の構成、作用は図１ないし４の実施例１と同様なので、図面に符号を付して説明を省略する。
【産業上の利用可能性】
【００２２】
本発明のワンピーススパウトは、リシール機能を必要としない場合において、リシール機能が無いにもかかわらず有るものと勘違いを起こして、収容の液状物による汚れや無駄を回避したいような場合に、利用可能性が高くなる。
【図面の簡単な説明】
【００２３】
【図１】本発明の実施例１に示した実施の形態を示すワンピーススパウト半裁縦断面図である。
【図２】図１のII-II線に沿うの断面図である。
【図３】図１のワンピーススパウトの閉止部を分離した後、注出筒先端に閉止部を被せようとした状態の半裁縦断面図である。
【図４】図３のＡ部の拡大断面図である。
【図５】本発明の実施例２に示した他の実施の形態を示すワンピーススパウト半裁縦断面図である。
【図６】図５のVI−VI線に沿うの断面図である。
【図７】図５のワンピーススパウトの閉止部を分離した後、注出筒先端に閉止部を被せようとした状態の半裁縦断面図である。
【図８】図７のＢ部の拡大断面図である。
【図９】従来のワンピーススパウトの例を示す断面図である。
【図１０】従来のワンピーススパウトの例を示す断面図である。
【図１１】従来のワンピーススパウトの例を示す断面図である。
【図１２】従来のワンピーススパウトの例を示す断面図である。
【符号の説明】
【００２４】
１,１Ａ                     ワンピーススパウト
２,５０                     容器（パウチ）
３,７０                     接合部
４,６１,７１                スパウト
５,６７,７２                注出筒
６,５５,６２,７３           薄肉部
７,７４                     閉止部
１０,７６                   筒体
１１                        天板
１２,５６,７５              つまみ部
１３,１３Ａ                 凸部
５１                        取付部
５２                        注ぎ口
５３                        大径部
５４                        小径部
５７                        充填具
６０                        キャップ
６３                        周壁部
６４                        回転用突起
６５                        インナー封止リング
６６                        雄ネジ
６８                        雌ネジ
α                          閉止部の注出筒の上端に対応する位置
β                          注出筒の上端面
【図１】
0005171299.tif 000002
【図２】
0005171299.tif 000003
【図３】
0005171299.tif 000004
【図４】
0005171299.tif 000005
【図５】
0005171299.tif 000006
【図６】
0005171299.tif 000007
【図７】
0005171299.tif 000008
【図８】
0005171299.tif 000009
【図９】
0005171299.tif 000010
【図１０】
0005171299.tif 000011
【図１１】
0005171299.tif 000012
【図１２】
0005171299.tif 000013